(57)【要約】【課題】エレベータの運行効率や利便性の低下を防止するとともに、エレベータ利用者が快適に利用することができるエレベータ装置およびエレベータの制御方法を得る。【解決手段】建物の各階床の乗場に設けられ、利用者の操作によってかごを呼び寄せるための乗場呼びを登録する乗場ボタンと、乗場に設けられ、乗場周辺のあらかじめ定められた検出範囲における人の有無を検出する検出部と、乗場に設けられた報知部と、利用者が乗場ボタンを操作して乗場呼びを登録した後、かごが到着するまでの間に、乗場呼びが登録された階床の乗場において、検出部が検出範囲に人がいないことを検出した場合に、報知部により、乗場周辺に乗場呼びをキャンセルすることを報知した後、乗場呼びをキャンセルする制御部と、を備えたものである。【選択図】図１
2015113179.tif 000002
【特許請求の範囲】
【請求項１】
建物の各階床の乗場に設けられ、利用者の操作によってかごを呼び寄せるための乗場呼びを登録する乗場ボタンと、
前記乗場に設けられ、乗場周辺のあらかじめ定められた検出範囲における人の有無を検出する検出部と、
前記乗場に設けられた報知部と、
利用者が前記乗場ボタンを操作して乗場呼びを登録した後、前記かごが到着するまでの間に、乗場呼びが登録された階床の乗場において、前記検出部が前記検出範囲に人がいないことを検出した場合に、前記報知部により、前記乗場周辺に乗場呼びをキャンセルすることを報知した後、乗場呼びをキャンセルする制御部と、
を備えたエレベータ装置。
【請求項２】
前記制御部は、単位時間あたりの乗場呼びの登録頻度に応じて、乗場呼びをキャンセルするまでの時間を設定する
請求項１に記載のエレベータ装置。
【請求項３】
前記制御部は、上昇方向の乗場呼びが登録された場合と、下降方向の乗場呼びが登録された場合とで、乗場呼びをキャンセルするまでの時間を互いに異なる値に設定する
請求項２に記載のエレベータ装置。
【請求項４】
前記制御部は、エレベータの運転時間帯に応じて、乗場呼びをキャンセルするまでの時間を設定する
請求項１から請求項３までの何れか１項に記載のエレベータ装置。
【請求項５】
前記制御部は、乗場呼びをキャンセルするまでの時間をカウントしている間に、前記検出部が前記検出範囲に人がいることを検出した場合には、カウントを中断する
請求項２から請求項４までの何れか１項に記載のエレベータ装置。
【請求項６】
前記乗場ボタンと前記検出部とが、乗場操作盤に一体的に形成される
請求項１から請求項５までの何れか１項に記載のエレベータ装置。
【請求項７】
前記乗場ボタンが、前記報知部の機能を有する
請求項１から請求項６までの何れか１項に記載のエレベータ装置。
【請求項８】
建物の各階床の乗場に設けられ、利用者の操作によってかごを呼び寄せるための乗場呼びを登録する乗場ボタンと、
前記乗場に設けられ、乗場周辺のあらかじめ定められた検出範囲における人の有無を検出する検出部と、
前記乗場に設けられた報知部と、
を備えたエレベータ装置において実行されるエレベータの制御方法であって、
利用者が前記乗場ボタンを操作して乗場呼びを登録したことを検出するステップと、
乗場呼びが登録された階床の前記乗場周辺の人の有無を検出するステップと、
前記かごが到着するまでの間に、乗場呼びが登録された階床の乗場において、前記検出部が前記検出範囲に人がいないことを検出した場合に、前記報知部により、前記乗場周辺に乗場呼びをキャンセルすることを報知するステップと、
乗場呼びをキャンセルすることを報知した後に、乗場呼びをキャンセルするステップと、
を有するエレベータの制御方法。
【発明の詳細な説明】
【技術分野】
【０００１】
この発明は、エレベータ装置およびエレベータの制御方法に関し、特に、登録された乗場呼びをキャンセルするものに関する。
【背景技術】
【０００２】
例えばデパートやホテル等において、人がエレベータの乗場で乗場ボタンを押して乗場呼びを登録するも、エレベータが到着する前に、エレベータの利用をやめて階段等を使用することがある。
【０００３】
このような場合には、乗場に人がいなくなるが、乗場呼びは登録されているので、エレベータは、停車することになる。その結果、無駄な停車が発生してエレベータの運行効率が低下するとともに、エレベータの乗客に不快感を与えるという問題があった。
【０００４】
そこで、このような問題を解決するために、乗場ボタンを操作した乗場待ち客の行動を追跡する計測手段と、この計測手段の出力に応じて、この待ち客がエレベータホール（乗場）から出て行ったか否かを判定し、少なくとも待ち客がエレベータホールから出て行ったことを条件に、待ち客が操作した乗場ボタンによる乗場呼びの登録を解消（キャンセル）するように指令する判定・制御手段と、を設けたエレベータの運転装置が提案されている（例えば、特許文献１参照）。
【先行技術文献】
【特許文献】
【０００５】
【特許文献１】特開昭６１−１６９４５８号公報
【発明の概要】
【発明が解決しようとする課題】
【０００６】
しかしながら、従来技術には、以下のような課題がある。
従来のエレベータの運転装置では、乗場ボタンを操作した乗場待ち客が、エレベータホールから出て行った場合に、この待ち客が操作した乗場ボタンによる乗場呼びの登録をキャンセルしている。
【０００７】
そのため、エレベータホールの外部から、乗場呼びが登録されていることを認識してエレベータホールに来た人がいた場合であっても、乗場ボタンを操作した乗場待ち客がエレベータホールから出て行ったことにより、乗場呼びの登録がキャンセルされると、後から来た人の意に反して乗場呼びの登録がキャンセルされることとなり、エレベータの利便性が低下するとともに、エレベータ利用者に不快感を与えるという問題がある。
【０００８】
この発明は、上記のような課題を解決するためになされたものであり、エレベータの運行効率や利便性の低下を防止するとともに、エレベータ利用者が快適に利用することができるエレベータ装置およびエレベータの制御方法を得ることを目的とする。
【課題を解決するための手段】
【０００９】
この発明に係るエレベータ装置は、建物の各階床の乗場に設けられ、利用者の操作によってかごを呼び寄せるための乗場呼びを登録する乗場ボタンと、乗場に設けられ、乗場周辺のあらかじめ定められた検出範囲における人の有無を検出する検出部と、乗場に設けられた報知部と、利用者が乗場ボタンを操作して乗場呼びを登録した後、かごが到着するまでの間に、乗場呼びが登録された階床の乗場において、検出部が検出範囲に人がいないことを検出した場合に、報知部により、乗場周辺に乗場呼びをキャンセルすることを報知した後、乗場呼びをキャンセルする制御部と、を備えたものである。
【００１０】
この発明に係るエレベータの制御方法は、建物の各階床の乗場に設けられ、利用者の操作によってかごを呼び寄せるための乗場呼びを登録する乗場ボタンと、乗場に設けられ、乗場周辺のあらかじめ定められた検出範囲における人の有無を検出する検出部と、乗場に設けられた報知部と、を備えたエレベータ装置において実行されるエレベータの制御方法であって、利用者が乗場ボタンを操作して乗場呼びを登録したことを検出するステップと、乗場呼びが登録された階床の乗場周辺の人の有無を検出するステップと、かごが到着するまでの間に、乗場呼びが登録された階床の乗場において、検出部が検出範囲に人がいないことを検出した場合に、報知部により、乗場周辺に乗場呼びをキャンセルすることを報知するステップと、乗場呼びをキャンセルすることを報知した後に、乗場呼びをキャンセルするステップと、を有するものである。
【発明の効果】
【００１１】
この発明に係るエレベータ装置によれば、制御部は、利用者が乗場ボタンを操作して乗場呼びを登録した後、かごが到着するまでの間に、乗場呼びが登録された階床の乗場において、検出部が検出範囲に人がいないことを検出した場合に、報知部により、乗場周辺に乗場呼びをキャンセルすることを報知した後、乗場呼びをキャンセルする。
また、この発明に係るエレベータの制御方法によれば、利用者が乗場ボタンを操作して乗場呼びを登録したことを検出するステップと、乗場呼びが登録された階床の乗場周辺の人の有無を検出するステップと、かごが到着するまでの間に、乗場呼びが登録された階床の乗場において、検出部が検出範囲に人がいないことを検出した場合に、報知部により、乗場周辺に乗場呼びをキャンセルすることを報知するステップと、乗場呼びをキャンセルすることを報知した後に、乗場呼びをキャンセルするステップと、を有している。
そのため、エレベータの運行効率や利便性の低下を防止するとともに、エレベータ利用者が快適に利用することができるエレベータ装置およびエレベータの制御方法を得ることができる。
【図面の簡単な説明】
【００１２】
【図１】この発明の実施の形態１に係るエレベータ装置を示すブロック構成図である。
【図２】この発明の実施の形態１に係るエレベータ装置の乗場操作盤を示す構成図である。
【図３】この発明の実施の形態１に係るエレベータ装置のエレベータホールを示す構成図である。
【発明を実施するための形態】
【００１３】
以下、この発明に係るエレベータ装置およびエレベータの制御方法の好適な実施の形態につき図面を用いて説明するが、各図において同一、または相当する部分については、同一符号を付して説明する。なお、このエレベータ装置は、エレベータの新設時であっても、改修時であっても導入することができる。
【００１４】
実施の形態１．
図１は、この発明の実施の形態１に係るエレベータ装置を示すブロック構成図である。また、図２は、この発明の実施の形態１に係るエレベータ装置の乗場操作盤２０を示す構成図である。また、図３は、この発明の実施の形態１に係るエレベータ装置のエレベータホールを示す構成図である。
【００１５】
図１において、このエレベータ装置は、乗場ボタン１、検出部２、報知部３および制御部１０を備えている。ここで、図１には、それぞれ１つしか示していないが、乗場ボタン１、検出部２および報知部３は、エレベータが設置された建物の各階床のエレベータホールに設けられている。
【００１６】
乗場ボタン１は、利用者の操作によって、かご（図示せず）を呼び寄せるための乗場呼びを登録する。検出部２は、エレベータホール周辺のあらかじめ定められた検出範囲における人の有無を検出する。報知部３は、制御部１０からの指示に応じて、エレベータホール周辺に対する報知を行う。
【００１７】
ここで、乗場ボタン１および検出部２は、図２に示されるように、乗場操作盤２０に一体的に形成されてもよい。エレベータを新設する際に、乗場ボタン１と検出部２とを乗場操作盤２０に一体化に形成することにより、部品点数を減らしてエレベータ装置の構成を簡略化することができる。
【００１８】
なお、検出部２は、例えば人感センサ等のパッシブセンサであってもよいし、カメラであってもよい。パッシブセンサを用いる場合には、コストを低減することができ、カメラを用いる場合には、検出精度を向上させることができる。また、エレベータの改修時にこのエレベータ装置を導入する場合には、既存のセンサ等を用いることができる。
【００１９】
また、乗場ボタン１と検出部２とが乗場操作盤２０に一体的に形成された場合において、検出部２の検出範囲は、図３のように表される。図３では、エレベータ３０が２基設けられたエレベータホールにおける検出範囲を示しているが、検出範囲は、検出部２の取り付け位置や、エレベータの基数、エレベータホールの形状等によって、エレベータホール毎に設定される。
【００２０】
報知部３は、例えば乗場ボタン１がエレベータホール周辺に対する報知を行う機能を有していてもよい。具体的には、乗場ボタン１が点滅することによって、エレベータホール周辺に対する報知を行う。これにより、部品点数を減らしてエレベータ装置の構成を簡略化することができる。なお、報知部３は、例えばスピーカや表示器等であってもよい。
【００２１】
制御部１０は、エレベータの運行状況を記憶するメモリ１１を有している。また、制御部１０は、利用者が乗場ボタン１を操作して乗場呼びを登録した後、かごが到着するまでの間に、乗場呼びが登録された階床のエレベータホールにおいて、検出部２が検出範囲に人がいないことを検出した場合に、報知部３により、エレベータホール周辺に乗場呼びをキャンセルすることを報知した後、乗場呼びをキャンセルする。
【００２２】
このとき、制御部１０は、利用者が乗場呼びを登録した後、かごが到着するまでの間に、エレベータホールの検出範囲から人がいなくなった場合に、乗場ボタン１を任意に設定される所定時間点滅させた後、乗場呼びをキャンセルする。また、制御部１０は、時間の経過に応じて、乗場ボタン１の点滅速度を変化させて、注意喚起してもよい。
【００２３】
また、制御部１０は、報知部３がスピーカである場合に、呼びをキャンセルする旨をアナウンスしてもよいし、報知部３が表示器である場合に、呼びをキャンセルする旨を表示してもよい。また、制御部１０は、時間の経過に応じて、アナウンスや表示の内容を変化させて、注意喚起してもよい。
【００２４】
ここで、制御部１０は、乗場呼びをキャンセルするまでの所定時間をカウントしている間に、検出部２によって、エレベータホールの検出範囲に人がいることが検出された場合には、所定時間のカウントを中断する。このとき、制御部１０は、併せて点滅していた乗場ボタン１を点灯させる。
【００２５】
すなわち、乗場呼びをキャンセルするまでの所定時間のカウントを開始した後、人がエレベータホールの検出範囲に入ってきた場合には、その人がエレベータの利用者であるか否かを判断することができないので、一旦所定時間のカウントを中断する。
【００２６】
その後、エレベータホールの検出範囲に入ってきた人が、検出範囲からいなくなった場合には、制御部１０は、その人がエレベータの利用者ではなかったと判断して、所定時間のカウントを再開する。一方、その人がエレベータの利用者であった場合には、所定時間のカウントが中断したまま、かごが到着することになる。
【００２７】
以上のように、実施の形態１によれば、制御部は、利用者が乗場ボタンを操作して乗場呼びを登録した後、かごが到着するまでの間に、乗場呼びが登録された階床の乗場において、検出部が検出範囲に人がいないことを検出した場合に、報知部により、乗場周辺に乗場呼びをキャンセルすることを報知した後、乗場呼びをキャンセルする。
そのため、エレベータの運行効率や利便性の低下を防止するとともに、エレベータ利用者が快適に利用することができるエレベータ装置およびエレベータの制御方法を得ることができる。
【００２８】
なお、制御部１０は、単位時間あたりの乗場呼びの登録頻度に応じて、乗場呼びをキャンセルするまでの時間を設定してもよい。具体的には、制御部１０は、エレベータが設置された建物の階高等に応じて任意にサンプリング時間を設定し、このサンプリング時間を単位時間として乗場呼びの登録頻度をメモリ１１に記憶する。
【００２９】
また、制御部１０は、直近の単位時間における乗場呼びの登録頻度を参照し、例えば登録頻度が高い場合には、乗場呼びを登録した利用者が、かごが到着するまでの間に、エレベータホールの検出範囲からいなくなった場合であっても、他の利用者がすぐにエレベータホールに来る可能性が高いとして、乗場呼びをキャンセルするまでの時間を長く設定する。
【００３０】
一方、制御部１０は、直近の単位時間における乗場呼びの登録頻度を参照し、例えば登録頻度が低い場合には、乗場呼びを登録した利用者が、かごが到着するまでの間に、エレベータホールの検出範囲からいなくなった場合に、他の利用者がエレベータホールに来る可能性が低いとして、乗場呼びをキャンセルするまでの時間を短く設定する。
【００３１】
このように、制御部１０が、単位時間あたりの乗場呼びの登録頻度に応じて、乗場呼びをキャンセルするまでの時間を設定することにより、さらにエレベータの運行効率や利便性の低下を防止するとともに、エレベータ利用者が快適に利用することができる。
【００３２】
また、制御部１０は、上昇方向の乗場呼びが登録された場合と、下降方向の乗場呼びが登録された場合とで、乗場呼びをキャンセルするまでの時間を互いに異なる値に設定してもよい。
【００３３】
例えば、直近の単位時間において、上昇方向の乗場呼びの登録回数が１０回であり、下降方向の乗場呼びの登録階数が２回である場合には、制御部１０は、上昇方向の乗場呼びが登録された場合に乗場呼びをキャンセルするまでの時間を、下降方向の乗場呼びが登録された場合に乗場呼びをキャンセルするまでの時間よりも長く設定する。
【００３４】
このように、制御部１０が、上昇方向の乗場呼びが登録された場合と、下降方向の乗場呼びが登録された場合とで、乗場呼びをキャンセルするまでの時間を互いに異なる値に設定することにより、さらにエレベータの運行効率や利便性の低下を防止するとともに、エレベータ利用者が快適に利用することができる。
【００３５】
また、制御部１０は、エレベータの運転時間帯に応じて、乗場呼びをキャンセルするまでの時間を設定してもよい。具体的には、制御部１０は、お昼時間等の混雑時間帯であれば、乗場呼びをキャンセルするまでの時間を長く設定し、閑散時間帯であれば、乗場呼びをキャンセルするまでの時間を短く設定する。
【００３６】
このように、制御部１０が、エレベータの運転時間帯に応じて、乗場呼びをキャンセルするまでの時間を設定することにより、さらにエレベータの運行効率や利便性の低下を防止するとともに、エレベータ利用者が快適に利用することができる。
【符号の説明】
【００３７】
１  乗場ボタン、２  検出部、３  報知部、１０  制御部、２０  乗場操作盤。
【図１】
2015113179.tif 000003
【図２】
2015113179.tif 000004
【図３】
2015113179.tif 000005